(57)【要約】【課題】波形鋼板をウエブとする鋼・コンクリート複合ＰＣ構造の橋の施工の合理化、施工工期の短縮、架設コストの低減等を図る。【解決手段】押出し工法を用い、型枠内で製作した桁２ａを前方に押出し、開放した型枠内に前方の桁２ａから橋軸方向に配設したＰＣ鋼材１２に緊張力を付与し、桁２ｂの上下床版のコンクリートを打設し、コンクリート硬化後、ＰＣ鋼材１２の緊張力を開放してコンクリートにプレストレスを導入して押し出す工程を繰り返す。【選択図】　　　　図４
2004019126.tif 000002
【特許請求の範囲】
【請求項１】
コンクリート上下床版と鋼板ウエブとからなる複合ＰＣ橋の架設工法において、押出位置に設置した１ブロック分の型枠内で製作した橋体ブロックを前方に押出し移動し、開放した型枠内に前方ブロックから橋軸方向に配設したＰＣ鋼材に緊張力を付与し、次いで、そのブロックの上下床版のコンクリートを打設し、コンクリートの硬化後、ＰＣ鋼材の緊張力を開放してコンクリートにプレストレスを導入して押し出す工程を繰り返し、ＰＣ橋を押出し架設することを特徴とする複合ＰＣ橋の押出し架設工法。
【請求項２】
前記型枠内に、プレテンション横締めＰＣ鋼材を配置し、該プレテンション横締めＰＣ鋼材に緊張力を付与した後、コンクリートを打設することを特徴とする請求項１記載の複合ＰＣ橋の押出し架設工法。
【請求項３】
前記鋼板ウエブを橋軸方向に波形形状を有するウエブとし、橋軸に直角な多数の拘束鉄筋を鋼板ウエブに貫通させて配設し、鋼板ウエブとコンクリートとを結構することを特徴とする請求項１記載の複合ＰＣ橋の押出し架設工法。
【請求項４】
コンクリート上下床版と鋼板ウエブとからなる複合ＰＣ橋において、鋼板ウエブを橋軸方向に波形の形状とし、該鋼板ウエブは、橋軸に直角な多数の拘束鉄筋を鋼板ウエブに貫通させてコンクリートとの結合部に備えた構造であることを特徴とする複合ＰＣ構造。
【請求項５】
上下床版のコンクリートが鋼繊維、有機繊維等を混合した繊維コンクリートであることを特徴とする請求項４記載の複合ＰＣ構造。
【発明の詳細な説明】
【０００１】
【発明の属する技術分野】
本発明は、複合ＰＣ橋の押出し架設工法及び複合ＰＣ構造に関する。
【０００２】
【従来の技術】
ＰＣ橋の架設工法には、エレクションガーダ等によるポストテンション方式のプレキャストコンクリート桁架設方法、ワーゲン等を用いてカンチレバー方式で現場打ちコンクリートで架橋する技術、プレキャストブロックを連結する工法、固定式又は移動式支保工を用いる架設技術、橋台後方に設けられた製作ヤードで製造した桁を順次前方に推進させて架橋する押出工法、アーチ橋架設工法等の種々の技術がある。
【０００３】
一方、ＰＣ橋としては、プレキャスト又は場所打ちコンクリート構造のもの、鋼・コンクリート複合ＰＣ構造のものがある。特に近年、波形鋼板をウエブとする鋼・コンクリート複合ＰＣ構造は、軽量であると共に、コンクリート部材へのプレストレス導入が効率的で、賞用されており、従来、主として、場所打ちコンクリートによる架設工法、又はプレキャストコンクリートによる連結方法によって架設されている。
【０００４】
【発明が解決しようとする課題】
従来、波形鋼板をウエブとする鋼・コンクリート複合ＰＣ構造の橋は、上述のように、場所打ちコンクリートによる架設工法、又はプレキャストコンクリートによる連結方法によって施工されている。本発明者は、波形鋼板をウエブとする鋼・コンクリート複合ＰＣ構造の橋の優れた特徴を生かした施工工法にについて検討し、押出工法が施工の合理化、施工工期の短縮、架設コストの低減等に大きなメリットがあることを見出した。本発明はこのような観点から、新規技術を開発し、これを提供することを目的とするものである。
【０００５】
【課題を解決するための手段】
本発明はプレテンション方式の桁を用いることによってグラウトを不要とし、ＰＣ鋼材の腐食等に対する信頼性を著しく高める点に特色がある。本発明の技術手段は、コンクリート上下床版と鋼板ウエブとからなる複合ＰＣ橋の架設工法において、押出位置に設置した１ブロック分の型枠内で製作した橋体ブロックを前方に押出し移動し、開放した型枠内に前方ブロックから橋軸方向に配設したＰＣ鋼材に緊張力を付与し、次いで、そのブロックの上下床版のコンクリートを打設し、コンクリートの硬化後、ＰＣ鋼材の緊張力を開放してコンクリートにプレストレスを導入して押し出す工程を繰り返し、ＰＣ橋を押出し架設することを特徴とする複合ＰＣ橋の押出し架設工法である。
【０００６】
上記工法において、前記型枠内に、横締めＰＣ鋼材を配置し、該横締めＰＣ鋼材に緊張力を付与した後、コンクリートを打設すること、すなわち床版部のＰＣ鋼材の緊張もプレテンションとすれば、ポストテンションに伴うグラウト充填が不要となり、ＰＣ鋼材の腐食の問題が解消され、好適である。また、前記鋼板ウエブを橋軸方向に波形形状を有するウエブとし、橋軸に直角な多数の拘束鉄筋を鋼板に貫通させて配設し、鋼板ウエブとコンクリートとを結構することとすれば、プレストレスが有効に導入されるので一層好ましい。
【０００７】
また、本発明は、コンクリート上下床版と鋼板ウエブとからなる複合ＰＣ橋において、鋼板ウエブを橋軸方向に波形の形状とし、該鋼板ウエブは、橋軸に直角な多数の拘束鉄筋をコンクリートとの結合部に備えた構造であることを特徴とする複合ＰＣ構造を提供する。このような構造は、上記本発明の押出工法を実現する場合にメリットが大きく、適切な構造である。さらに、この場合に上下床版のコンクリートが鋼繊維、有機繊維等を混合した繊維コンクリートであると、鋼板ウエブとの結合力が大きく、好適となる。
【０００８】
【発明の実施の形態】
本発明は、鋼・コンクリート複合ＰＣ構造の橋梁を押出工法で施工するもので、プレストレスはプレテンションによって付与することを基本とし、橋体架設後、必要によりアウトケーブルによるポストテンションによるプレストレスも付与することができるようにした。プレテンション方式による緊張のため、格別の定着具やシースが不要であるばかりでなく、グラウトを施す必要がないため、ＰＣ鋼材の腐食の問題が解消される。また、波形鋼板ウエブのコンクリート床版との接合部を、この工法に適した、多数の拘束鉄筋を用いる構造とすることによって、優れた橋体を得ることができる。さらに繊維補強材の高密度混入をコンクリートに適用すれば、鉄筋の配筋を一部又は全部省略することもでき、施工が簡単になる。従って、橋台後方の型枠ヤードにおけるコンクリートの打設を有利に行うことができる。
【０００９】
以下図面を参照して本発明の実施の形態を説明する。図１〜６は、本発明の実施例を示すもので、押出工法の工程を示す工程図である。図１は、押出工法によって橋脚の架設を行う現場の製作ヤード１の側面図で、第１ブロックの桁２ａを製作している工程を示している。緊張アバット１０の前方の製作台２１上で、第１ブロックの桁２ａを製作する。ワイヤドラム１１からＰＣ鋼材１２を繰り出して第１ブロックの桁２ａの上下床版中に配設する。第１ブロックの桁２ａのみはＰＣ鋼材をプレグラウトＰＣ鋼材として、プレストレスを導入する。次に、図２に示すように、第１ブロックの桁２ａの先端に手延桁３０を装着する。
【００１０】
次いで、図３に示すように、第１ブロックの桁２ａを前方に押出す。押し出された第１ブロックの桁２ａにプレテンション反力用鋼管７及び反力鋼管取付部材６を取り付け、ＰＣ鋼材１２を緊張する。図９は、ＰＣ鋼材１２を緊張する時の反力鋼管固定側の構造図である。桁２の上下面に取り付けた鋼製の反力鋼管取付け部材６と緊張アバット１０との間にプレテンション反力用鋼管７を配置し、ＰＣ鋼材１２にプレテンションを負荷したときの反力を既設ブロックに伝達する。
【００１１】
図７は、プレテンション用のＰＣ鋼材１２の緊張時の状態を示すもので、緊張アバット１０の構造を示す側面図、図８はその平面図である。ＰＣ鋼材１２は支承部１４上のスライド面１７上に載置された鋼製ビーム１３に定着具１６（雄コーン）を介して取り付けられ、ジャッキ１５は鋼製ビーム１３を押出し、ＰＣ鋼材１２を一括同時に緊張する。
【００１２】
次に、図４に示すように、製作台２１上で第２ブロックの桁２ｂを製作する。図５は、第２ブロックの桁２ｂ用のプレテンションＰＣ鋼材を開放し、プレテンション反力用鋼管７及び反力鋼管取付部材６を第１ブロックの桁本体から離脱する工程を示している。図５では、上側のプレテンション反力用鋼管７及び反力鋼管取付部材６を撤去した状態を示している。次に、図６に示すように、第２ブロックの桁２ｂを押出す。桁の押出しは従来の押出し工法と同様に、押出しジャッキ等を用いて行う。図１０は、押出時の桁２を示すもので、滑り支承８上を前進する。
【００１３】
図６に示すように、押し出された第２ブロックの桁２ｂに、プレテンション反力用鋼管７及び反力鋼管取付部材６を取り付ける。そして、第３ブロックの桁２ｃ用のプレテンションＰＣ鋼材１２を緊張する。以上の工程を繰り返して押出工法により前方に橋梁を施工する。
【００１４】
なお、図１０に示す本発明に係る桁２に横締めＰＣ鋼材９を示した。桁２は波形鋼板ウエブ３、コンクリート上床版４、コンクリート下床版５から構成されている。上下床版４、５のコンクリートを打設する際に横締めＰＣ鋼材９を型枠内に張設し緊張力を賦与した後、コンクリートを打設し、プレストレスを導入すると、上下床版の横方向の強度が向上し、設計上有利な床版となる。
【００１５】
図１１は、実施例の波形鋼板ウエブ３の拘束鉄筋３１の配置を示す斜視図である。床版コンクリートと波形鋼板ウエブとの結合に、このような結合構造を用いることによって、波形鋼板ウエブとコンクリート床版とが緊密に結合し、本発明方法の実施に容易に適合し、床版のプレストレス導入に当たっても波形鋼板ウエブがプレストレス導入の抵抗として作用せず、適切な構造である。
【００１６】
【発明の効果】
本発明方法によれば、軽量で、上下床版の橋軸方向のプレストレス導入が容易な波形鋼製ウエブを有する鋼・コンクリート複合ＰＣ鋼桁を、容易に安価に短工期で架設することができると言う優れた効果を奏する。また本発明によれば、波形鋼板ウエブを用いる桁の波形鋼板と床版との結合を合理的に施工することができる。さらに繊維コンクリートを用いることによって、鉄筋を減少又は不要とする上下床版を容易に形成することができ、本発明工法の優れた効果を一層向上させることができる。
【図面の簡単な説明】
【図１】実施例の押出工法の工程図である。
【図２】実施例の押出工法の工程図である。
【図３】実施例の押出工法の工程図である。
【図４】実施例の押出工法の工程図である。
【図５】実施例の押出工法の工程図である。
【図６】実施例の押出工法の工程図である。
【図７】緊張アバットのＰＣ鋼材緊張時の側面図である。
【図８】緊張アバットのＰＣ鋼材緊張時の平面図である。
【図９】ＰＣ鋼材緊張時の反力装置を示す桁の正面図である。
【図１０】押出時の桁の正面図である。
【図１１】波形鋼板ウエブの拘束鉄筋の配置を示す斜視図である。
【符号の説明】
１　　製作ヤード
２　　桁
３　　ウエブ
４　　上床版
５　　下床版
６　　取付部材
７　　鋼管
８　　すべり支承
９　　横締めＰＣ鋼材
１０　　緊張アバット
１１　　ワイヤドラム
１２　　ＰＣ鋼材
１３　　鋼製ビーム
１４　　支承部
１５　　ジャッキ
１６　　定着具（雄コーン）
１７　　スライド面
２１　　製作台
３０　　手延桁
【図１】
2004019126.tif 000003
【図２】
2004019126.tif 000004
【図３】
2004019126.tif 000005
【図４】
2004019126.tif 000006
【図５】
2004019126.tif 000007
【図６】
2004019126.tif 000008
【図７】
2004019126.tif 000009
【図８】
2004019126.tif 000010
【図９】
2004019126.tif 000011
【図１０】
2004019126.tif 000012
【図１１】
2004019126.tif 000013